(57)【要約】  アニオン性界面活性剤、非イオン性界面活性剤またはそれらの混合物から選択される少なくとも１種の界面活性剤（Ｓ）および少なくとも１種のＣ8−Ｃ22の脂肪族アルコール（ＡＡ）をベースにした、水媒体中で泡立つ、繊維または硬質表面のクリーニングまたはメンテナンスを目的とする洗剤組成物の使用。発生した泡は、改良されたレオロジー特性と外観（白さ）を有する。【特許請求の範囲】
【請求項１】
繊維または硬質表面のクリーニングまたはメンテナンス用の、水媒体中で泡立つ洗剤組成物の使用であって、
前記洗剤組成物は、
アニオン性界面活性剤、非イオン性界面活性剤またはそれらの混合物から選択される少なくとも１種の界面活性剤（Ｓ）をベースにし、
少なくとも１種のＣ8−Ｃ22、好ましくはＣ12−Ｃ18、さらに好ましくはＣ12−Ｃ16の脂肪族アルコール（ＡＡ）を含む洗剤組成物
である使用。
【請求項２】
前記界面活性剤（Ｓ）の量が、固形分換算で、起泡性の前記洗剤組成物の総質量の０．１％から９９％、好ましくは０．５％から６０％であることを特徴とする請求項１記載の使用。
【請求項３】
前記アニオン性界面活性剤が存在する場合、その量が、固形分換算で、前記洗剤組成物の総重量１００部あたり０．５〜９０重量部、好ましくは５〜６０重量部、さらに好ましくは１０〜３０重量部の範囲であることを特徴とする請求項１または請求項２記載の使用。
【請求項４】
前記非イオン界面活性剤が存在する場合、その量が、固形分換算で、前記洗剤組成物の総質量の０．１％から２０％、好ましくは０．１％から１５％、特に好ましくは０．５％から１０％であることを特徴とする請求項１〜請求項３のいずれかの項に記載の使用。
【請求項５】
前記脂肪族アルコール（ＡＡ）が、モノアルコール、特に直鎖アルコール類であることを特徴とする請求項１〜請求項４のいずれかの項に記載の使用。
【請求項６】
前記脂肪族アルコール（ＡＡ）が、１−ドデカノール（ラウリルアルコール）、１−テトラデカノール（ミリスチルアルコール）、１−ヘキサデカノール（セチルアルコール）および１−オクタデカノール（ステアリルアルコール）、特に１−ドデカノール（ラウリルアルコール）または１−テトラデカノール（ミリスチルアルコール）から選択されることを特徴とする請求項５に記載の使用。
【請求項７】
前記脂肪族アルコール（ＡＡ）の脂肪鎖の長さが、前記界面活性剤（Ｓ）の親油部の長さと同じ、または非常に近似することを特徴とする請求項１〜請求項６のいずれかの項に記載の使用。
【請求項８】
前記脂肪族アルコール（ＡＡ）の量が、固形分換算で、前記洗剤組成物中の前記界面活性剤（Ｓ）１００重量部あたり０．０１〜１００重量部、好ましくは０．１〜２０重量部、最も好ましくは１〜１０重量部の範囲であることを特徴とする請求項１〜請求項７のいずれかの項に記載の使用。
【請求項９】
・  便器のメンテナンス、
・  浴室または台所の表面のメンテナンス、
・  台所用品の手洗い、
・  繊維製品の手洗い、または半自動の機械による洗濯、および
・  自動車の車体の手洗浄、または洗車場での洗浄
が、起泡性の前記洗剤組成物の使用目的であることを特徴とする請求項１〜請求項８のいずれかの項に記載の使用。
【請求項１０】
起泡性の前記洗剤組成物が、水および／または少なくとも１種の親水性溶剤を含むことを特徴とする請求項１〜請求項９のいずれかの項に記載の使用。
【請求項１１】
前記溶剤が、Ｃ2−Ｃ8脂肪族のモノアルコール類または多価アルコール類およびそれらのエーテル類から選択されることを特徴とする請求項１０に記載の使用。
【請求項１２】
前記脂肪族アルコール（ＡＡ）が、発生する泡の外観とレオロジー特性を改良するために使用されることを特徴とする請求項１〜請求項１１のいずれかの項に記載の使用。
【請求項１３】
前記脂肪族アルコール（ＡＡ）が、発生する泡の白さを改良するために使用されることを特徴とする請求項１２に記載の使用。
【発明の詳細な説明】
【技術分野】
【０００１】
本発明は、繊維または硬質表面のメンテナンス用発泡性洗剤組成物における脂肪族アルコールの使用に関する。脂肪族アルコールの存在により、前記組成物の通常の使用条件下で、発生した泡の外観を改良することが可能になる。
【背景技術】
【０００２】
発泡性のアニオン性界面活性剤（任意にエトキシ化された脂肪族アルコール硫酸エステル、脂肪族アルコールサルコシネート、スルホコハク酸アルカノールアミド、長鎖α−オレフィンスルホン酸塩、長鎖アルキルベンゼンスルホン酸塩）、Ｃ12−Ｃ16アルカノール、任意の溶剤（イソプロピルアルコール、ブトキシエタノール等）および任意のポリマー（ポリアクリル酸、エチレンオキサイド−プロピレンオキサイドブロック共重合体、ポリエチレングリコール、バイオポリマー）を含む高濃度水性組成物から安定な泡を作ることは公知の実施であり、得られた安定な泡は多くの用途、すなわち作物保護処理中の農地面の土壌マーカー（soil marker）として、安全装置の絶縁体として、掘削液において、そして特に山火事の消火の補助としての用途がある（特許文献１、特許文献２、特許文献３、特許文献４、特許文献５）。
【０００３】
消費者は、発泡性洗剤組成物を使用して自分が行う、または目の前で行われるクリーニングまたはメンテナンス作業の間、洗剤液の性能の指標である発生した泡の量と外観、特にその乳白度または白さに鋭く敏感である。
【特許文献１】米国特許第４０５０９４４号明細書
【特許文献２】米国特許第４４４２０１８号明細書
【特許文献３】米国特許第４７７０７９４号明細書
【特許文献４】米国特許第６３６９１２２号明細書
【特許文献５】米国特許第６３７６５６６号明細書
【発明の開示】
【発明が解決しようとする課題】
【０００４】
本発明の目的は、表面メンテナンス用洗剤の使用、特に家庭用若しくは企業用の硬質表面若しくは繊維をクリーニングするための、手洗いで台所用品を洗浄するための、手洗い若しくは半自動の機械での洗濯のための、または自動車の車体を洗浄するための使用における通常の使用条件の下で、改良された外観の安定な泡を得ることである。
【０００５】
さらに本発明の目的は、美的な、特にその白さの、またクリーム状の外観の美的な外観の泡を得ることである。
【０００６】
消費者の視点によれば、これらの利点は、清潔さの印象また処理表面ケアの印象に反映される。また手洗いにおいては、この印象が使用者の手のレベルで知覚される。
【課題を解決するための手段】
【０００７】
本発明は、アニオン性界面活性剤、非イオン性界面活性剤またはそれらの混合物から選択される少なくとも１種の界面活性剤（Ｓ）および少なくとも１種のＣ8−Ｃ22、好ましくはＣ12−Ｃ18、さらに好ましくはＣ12−Ｃ16脂肪族アルコール（ＡＡ）をベースにした、水媒体中で泡立つ繊維または硬質表面のクリーニングまたはメンテナンス用洗剤組成物の使用に関する。
【０００８】
前記脂肪族アルコールは、硬質表面または繊維のクリーニングまたはメンテナンス用洗剤組成物、特に家庭若しくは企業での硬質表面若しくは繊維のクリーニングまたはメンテナンス、特に便器のメンテナンス、浴室または台所の表面のメンテナンス、台所用品の手洗い、手洗い若しくは半自動の機械による洗濯または自動車の車体の洗浄用もしくはメンテナンス用の組成物に用いられる。
【０００９】
前記洗剤組成物はどのような形態であってもよく、特に、好ましくは濃縮された、水性もしくは非水性液体、固体またはジェル状が挙げられる。
【００１０】
水媒体中で泡立つ前記洗剤組成物は、アニオン性界面活性剤、非イオン性界面活性剤、またはそれらの混合物から選択される少なくとも１種の界面活性剤（Ｓ）を含む。
【発明を実施するための最良の形態】
【００１１】
界面活性剤（Ｓ）の量は、固形分換算で、起泡性洗剤組成物の総質量の０．１％から９９％、好ましくは０．５％から６０％とすることができる。
【００１２】
洗剤組成物が石鹸バータイプの固体の場合、固形分換算で、界面活性剤（Ｓ）の量は起泡性洗剤組成物の総質量の最大９９％、好ましくは最大９５％とすることができる。通常、この量は起泡性洗剤組成物の総質量の少なくとも５０％である。また、石鹸バータイプの固体は、前記固体の質量の最大２０％量で、水および／または親水性溶剤を含んでもよい。
【００１３】
用語「洗剤組成物の総質量」は、界面活性剤（Ｓ）および脂肪族アルコール（ＡＡ）と共に含まれる他の任意成分（水、溶媒、および他の添加物）を含む組成物の全ての質量を意味する。
【００１４】
表現「水媒体中で泡立つことができる洗剤組成物」は、本明細書中では広い意味を取る。例えば：
−  ノズルを備えた装置（スプレー）を用いて吹きかけることによって処理される表面上に、泡を発生させる、水（または水／親水性溶剤混合物）を含む液体組成物、
−  手動またはボルテックス（商品名）で得られる剪断力で泡を発生させる、水（または水／親水性溶剤混合物）を含む液体組成物、
−  水中での、または水による希釈および剪断（摩擦、手動、機械またはボルテックス）の後に泡を発生させる固形、ジェルまたは水系または非水系液体組成物
であってもよい。
【００１５】
挙げることができるアニオン性界面活性剤の例としては、特に以下を含む：
−  一般式Ｒ−ＣＨ（ＳＯ3Ｍ）−ＣＯＯＲ'のアルキルエステルスルホン酸塩（式中ＲはＣ8−Ｃ20、好ましくはＣ10−Ｃ16のアルキル基を、Ｒ'はＣ1−Ｃ6、好ましくはＣ1−Ｃ3アルキル基を、Ｍはアルカリ金属陽イオン（ナトリウム、カリウムまたはリチウム）、置換もしくは未置換アンモニウム（メチルアンモニウム、ジメチルアンモニウム、トリメチルアンモニウム、テトラメチルアンモニウム、ジメチルピペリジニウム等）またはアルカノールアミン誘導体（モノエタノールアミン、ジエタノールアミン、トリエタノールアミン等）を表す）。特に、Ｒ基がＣ14−Ｃ16のメチルエステルスルホン酸塩を挙げることができる。；
−  １２〜１６の炭素原子を含むα−オレフィンスルホン酸塩；
−  一般式ＲＯＳＯ3Ｍのアルキル硫酸塩（式中ＲはＣ5−Ｃ24、好ましくはＣ10−Ｃ18のアルキル基またはヒドロキシアルキル基を、Ｍは水素原子または上記と同じ定義の陽イオン、また平均０．５〜３０、好ましくは０．５〜１０のＯＥおよび／またはＯＰ単位を含むそれらのエトキシレネート（ethoxylenated）（ＯＥ）および／またはプロキシレネート（propoxylenated）（ＯＰ）誘導体を表す。）；
−  一般式ＲＣＯＮＨＲ'ＯＳＯ3Ｍのアルキルアミドサルフェート（式中ＲはＣ2−Ｃ22、好ましくはＣ6−Ｃ20のアルキル基を、Ｒ’はＣ2−Ｃ3のアルキル基を、Ｍは水素原子または上記と同じ定義の陽イオン、また平均０．５〜６０のＯＥおよび／またはＯＰ単位を含むそれらのエトキシレネート（ethoxylenated）（ＯＥ）および／またはプロキシレネート（propoxylenated）（ＯＰ）誘導体を表す。）；
−  飽和または不飽和のＣ8−Ｃ24、好ましくはＣ14−Ｃ20の脂肪酸塩、Ｃ9−Ｃ20のアルキルベンゼンスルホン酸塩、１級もしくは２級Ｃ8−Ｃ22アルキルスルホン酸塩、アルキルグリセロールスルホン酸塩、ＧＢ−Ａ−１０８２１７９に記載のスルホン化ポリカルボン酸、パラフィンスルホン酸塩、Ｎ−アシルＮ−アルキルタウレート、アルキルリン酸塩、イセチオン酸塩、アルキルサクシナメート、アルキルスルホコハク酸塩、スルホコハク酸モノエステルもしくはジエステル、Ｎ−アシルサルコシン酸塩、アルキルグリコシドサルフェートもしくはポリエトキシカルボン酸塩、アルカリ金属（ナトリウム、カリウムまたはリチウム）陽イオン、置換もしくは未置換アンモニウム（メチルアンモニウム、ジメチルアンモニウム、トリメチルアンモニウム、テトラメチルアンモニウム、ジメチルピペリジニウム等）またはアルカノールアミン誘導体（モノエタノールアミン、ジエタノールアミン、トリエタノールアミン等）；
−  例えばロディア社が販売するＲｈｏｄａｆａｃ（商品名）  ＲＡ６００、Ｒｈｏｄａｆａｃ  ＰＡ１５またはＲｈｏｄａｆａｃ  ＰＡ２３等のアルキルまたはアルキルアリールリン酸エステル。
【００１６】
アニオン性界面活性剤の量は（それが存在しているとき）、固形分換算で、洗剤組成物の総重量１００重量部あたり０．５〜９０重量部、好ましくは５〜６０重量部、さらに好ましくは１０〜３０重量部の範囲で変動できる。
【００１７】
非イオン性界面活性剤の中で、特に挙げることができるのは、アルキレンオキシド縮合物、特にアルコール類、ポリオール類またはアルキルフェノール類とエチレンオキシドの縮合物；脂肪酸エステル；脂肪酸アミド；脂肪族アミン；アミンオキシド；アルキルポリグリコシド、糖の脂肪酸エステル、特にモノパルミチン酸スクロース等の糖誘導体；長鎖３級ホスフィンオキシド；ジアルキルスルホキシド；ポリオキシエチレンとポリオキシプロピレンとの逐次重合型共重合体；ポリアルコキシル化ソルビタンエステル類；ソルビタンの脂肪エステル類、ポリ（エチレンオキシド）および親油処理された脂肪酸アミド（例えば脂肪酸モノエタノールアミドおよび１０〜１８の炭素原子を含むジエタノールアミド）である。
【００１８】
特に挙げることができるのは、
・  ポリオキシアルキレン化（polyoxyalkylenated）（ポリエトキシエチレン化（polyethoxyethylenated）、ポリオキシプロピレン化（polyoxypropylenated）またはポリオキシブチレン化（polyoxybutylenated））アルキルフェノール類であって、そのアルキル置換基がＣ6-12であり、５〜２５のオキシアルキレン単位を含むもの。挙げることができる例として、Ｒｏｈｍ  ＆  Ｈａｓｓ社が販売するＴｒｉｔｏｎ（商品名）Ｘ−４５、Ｘ−１１４、Ｘ−１００またはＸ−１０２が含まれる；
・  グルコサミド、グルカミドおよびグリセロールアミド；
・  １〜２５のオキシアルキレン（オキシエチレンまたはオキシプロピレン）単位を含むポリオキシアルキレン化Ｃ8−Ｃ22脂肪族アルコール。挙げることができる例として、ユニオン・カーバイド社が販売するＴｅｒｇｉｔｏｌ（商品名）１５−Ｓ−９およびＴｅｒｇｉｔｏｌ（商品名）２４−Ｌ−６  ＮＭＷ、Ｓｈｅｌｌ  Ｃｈｅｍｉｃａｌ社が販売するＮｅｏｄｏｌ（商品名）４５−９、Ｎｅｏｄｏｌ（商品名）２３−６５、Ｎｅｏｄｏｌ（商品名）４５−７およびＮｅｏｄｏｌ（商品名）４５−４、ロディア社が販売するＲｈｏｄａｓｕｒｆ（商品名）ＩＤＯ６０、Ｒｈｏｄａｓｕｒｆ（商品名）ＬＡ９０およびＲｈｏｄａｓｕｒｆ（商品名）ＩＴ０７０が含まれる；
・  Ｃ10−Ｃ18アルキルジメチルアミンオキシドまたはＣ8−Ｃ22アルコキシルエチルジヒドロキシエチルアミンオキシド等のアミンオキシド；
・  ＵＳ−Ａ−４５６５６４７記載のアルキルグリコシド；
・  任意のポリヒドロキシ化Ｃ8−Ｃ20脂肪酸アミド；
・  エトキシ化脂肪酸；
・  エトキシ化アミン
である。
【００１９】
前記非イオン性界面活性剤は、それらが存在している場合、前記組成物の総質量の０．１％から２０％、好ましくは０．１％から１５％、特に好ましくは０．５％から１０％（固形分換算）である。
【００２０】
また、1種以上のカチオン性、両性または双性イオン界面活性剤もまた、アニオン性および／または非イオン性界面活性剤と共に洗剤組成物中に存在することができる。
【００２１】
カチオン性界面活性剤は特に、次の一般式のアルキルアンモニウム塩である：
Ｒ1Ｒ2Ｒ3Ｒ4Ｎ+  Ｘ-
式中
・Ｘ-は、ハロゲンイオン、ＣＨ3ＳＯ4-またはＣ2Ｈ5ＳＯ4-を表す。
・Ｒ1およびＲ2は同一であり又は相違し、Ｃ1−Ｃ20アルキル基、アリール基またはベンジル基を表す。
・Ｒ3およびＲ4は同一であり又は相違し、Ｃ1−Ｃ20アルキル基、ベンジル基もしくはアリール基またはエチレンオキシドおよび／もしくはプロピレンオキシド縮合物（ＣＨ2ＣＨ2Ｏ）x−（ＣＨ2ＣＨＣＨ3Ｏ）y−Ｈを表す。式中、ｘおよびｙの範囲は０〜３０であり、両方が０になることはない。
例えば、臭化セチルトリメチルアミンまたはロディア社が販売するＲｈｏｄａｑｕａｔ（商品名）ＴＦＲである。
【００２２】
前記カチオン性界面活性剤は、それらが存在している場合、固形分換算で、前記組成物の総質量の最大１０％、好ましくは１％から５％である。
【００２３】
双性イオン界面活性剤の例としては、脂肪族４級アンモニウム誘導体、特に、３−（Ｎ，Ｎ−ジメチル−Ｎ−ヘキサデシルアンモニオ）プロパン  １−サルホネートおよび３−（Ｎ，Ｎ−ジメチル−Ｎ−ヘキサデシルアンモニオ）−２−ヒドロキシ−プロパン  １サルホネートが含まれる。
【００２４】
両性界面活性剤の例としては、ベタイン、スルホベタイン、脂肪酸、イミダゾールカルボン酸エステルおよびスルホン酸塩が含まれる。
【００２５】
以下の界面活性剤が好ましい：
・  アルキルジメチルベタイン、アルキルアミドプロピルジメチルベタイン、アルキルジメチルスルホベタイン、またはロディア社が販売するＭｉｒａｔａｉｎｅ（商品名）ＣＢＳ等のアルキルアミドプロピルジメチルスルホベタイン、ならびに脂肪酸およびタンパク加水分解物の縮合生成物。
・  アルキル基が６〜２０の炭素原子を含む、アルキル両性酢酸塩またはアルキル両性二酢酸塩。
・  アルキルポリアミンの両性誘導体、例えばロディアが販売するＡｍｐｈｉｏｎｉｃ（商品名）ＸＬならびにＢｅｒｏｌ  Ｎｏｂｅｌが販売するＡｍｐｈｏｌａｃ（商品名）７Ｔ／ＸおよびＡｍｐｈｏｌａｃ（商品名）７Ｃ／Ｘ。
【００２６】
本発明によれば、使用される脂肪族アルコール（ＡＡ）は、Ｃ8−Ｃ22、好ましくはＣ12−Ｃ18、さらに好ましくはＣ12−Ｃ16の脂肪族アルコールまたはそれらの混合物である。
【００２７】
選択的には、モノアルコール、特に直鎖アルコール類である。
【００２８】
特に挙げることができるのは、１−ドデカノール（ラウリルアルコール）、１−テトラデカノール（ミリスチルアルコール）、１−ヘキサデカノール（セチルアルコール）および１−オクタデカノール（ステアリルアルコール）であり、とりわけ１−ドデカノール（ラウリルアルコール）、１−テトラデカノール（ミリスチルアルコール）を挙げることができる。
【００２９】
本発明の好ましい実施では、洗剤組成物中の界面活性剤（Ｓ）１００重量部（固形分換算）あたりの前記脂肪族アルコール（ＡＡ）の使用量は、０．０１〜１００重量部、好ましくは０．１〜２０重量部、最も好ましくは１〜１０重量部の範囲である。
【００３０】
選択的には、脂肪族アルコール（ＡＡ）の脂肪鎖の長さが、界面活性剤（Ｓ）の親油部の長さと同じ、または非常に近似する。
【００３１】
本発明によれば、特に前記脂肪族アルコール（ＡＡ）は、洗剤組成物を水媒体中で前記組成物を使用する普通の条件下で使用することで発生する泡の外観とレオロジー特性を改良するための剤として使用される。
【００３２】
本発明によれば、泡の「外観」という用語は、その白さすなわち乳白度を主として意味する。
【００３３】
前記脂肪族アルコール（ＡＡ）を含む、繊維または硬質表面をクリーニングまたはメンテナンスするための洗剤組成物は、多くの応用例を有することができる。特に：
・  便器のメンテナンス ；前記組成物は、便器の内壁に付着する、または便器もしくは槽に入れられるブロック、タブレット、ジェルまたは芳香および／または殺菌液の形態をとることができる。
・  浴室または台所の表面のメンテナンス 
・  台所用品の手洗い；組成物は、好ましくは濃縮液またはジェルの形態をとる。
・  繊維製品の手洗いまたは半自動機械での洗濯；組成物は、好ましくは濃縮液、ジェルまたはバーの形態をとる。
・  手洗いまたはステーションでの自動車の洗浄
がある。
【００３４】
以下に説明する試験によって、上記の応用の典型的なせん断条件の下で前記脂肪族アルコール（ＡＡ）を含む洗剤組成物の使用による泡の発生をシミュレートできる。発生した泡の白さは、画像解析で評価できる。
【００３５】
泡立て方法
前記界面活性剤（Ｓ）および前記脂肪族アルコール（ＡＡ）ならびに他の任意の添加物を含む、試験される洗剤組成物の水溶液を準備する。洗剤組成物の量は、前記水溶液の界面活性剤（Ｓ）の濃度が０．５ｇ／ｌとなるようにする。
【００３６】
この溶液３０ｍｌを１００ｍｌのメスシリンダー（長さ２５０ｍｍ／内径２８ｍｍ）に入れ、シリンダーを塞ぎ、２０回手動で上下をひっくり返す。泡が得られる。
【００３７】
画像解析
黒い背景の正面で、このようにして発生した泡のデジタル写真を一定の間隔を置いて（例えば１０分ごとに）撮る。次に写真はグレーの２５６のレベル（グレースケール：０〜２５５、０は黒に対応し、２５５は白に対応する）に変換される。
【００３８】
それぞれのレベルのグレーに対応するピクセル数が数えられる。０〜２５５の間の平均値のヒストグラムが得られる。
【００３９】
泡がないときを０の値とするために、同一の黒い背景の正面の空のシリンダーから得た平均値を、泡から得た値から差し引く。
【００４０】
脂肪族アルコール（ＡＡ）を含まない洗剤組成物の水溶液を用いて新たに発生した標準の泡（経過時間：ゼロ）を使用しこの値を１００の基準にあわせる。脂肪族アルコール（ＡＡ）を含まない洗剤組成物の量は、前記水溶液の界面活性剤（Ｓ）の濃度が０．５ｇ／ｌとなるようにする。時間にともなう標準の泡の外観の変化の関数として、０〜１００の間の「白さ」の値が得られる。
【００４１】
評価
試験される洗剤組成物に対応する泡が発生し、上記のように解析される（シリンダーを上下に２０回ひっくり返し、一定の間隔を置いてデジタル写真を撮り、ヒストグラムを作成する）。
【００４２】
試験される泡が標準の泡よりも白い場合、１００以上の値が得られる。
【００４３】
この試験の条件下では、６０未満の「白さ」の値の泡は分解しているとみなされる（泡は徐々に透明になる）。
【００４４】
また、アルカノール（ＡＡ）の存在は、微細な気泡を保護するため通常の使用条件の下でクリーム状の外観の泡を発生させることが認められた。
【００４５】
好ましくは、洗剤組成物は、水および／または少なくとも１種の親水性溶剤をも含む。
【００４６】
用語「親水性溶剤」は、水に混ぜられると、室温で透明な相を１つだけ形成するあらゆる溶剤を意味する。
【００４７】
水および／または前記溶剤は、前記組成物の総質量の最大９９．５％に相当できる。水および／または親水性溶剤の最小量は、通常１％である。水／溶剤混合物では、前記溶剤が前記混合物の重さの最大８０％に相当できる。
【００４８】
好ましくは、前記溶剤は、Ｃ2−Ｃ8脂肪族のモノアルコール類または多価アルコール類およびそれらのエーテル類から選択される。
【００４９】
特に挙げることができる溶剤の例としては、エタノール、プロパノール、イソプロパノール、ブタノール、２−ブトキシエタノール、ジエチレングリコール、１−ブトキシエタノール−２−プロパノールおよびジエチレンモノブチルエーテルが含まれる。
【００５０】
前記組成物は、特にそれが濃縮液体組成物であるときには、泡の粘度および／または安定性を制御するために少なくとも１種の重合体を含むことができる。例えば、重量平均分子質量が１０００〜５００００００ｇ／ｍｏｌのポリアクリル酸またはその水溶性塩、重量平均分子質量が最大３００００ｇ／ｍｏｌのエチレンオキシド／プロピレンオキシドブロック共重合体、分子質量が少なくとのも４００ｇ／ｍｏｌのポリエチレングリコールおよび分子質量が少なくとも１００００ｇ／ｍｏｌのバイオポリマーである。重合体が存在する場合、前記重合体は、固形分換算で、濃縮液体組成物の質量の０．０１％〜１０％を示すことができる。
【００５１】
用語「濃縮組成物」は使用の間に希釈されるあらゆる組成物を意味する。
【００５２】
泡の粘度および／または安定性を制御できる高分子類の例として以下を挙げることができる：
・  ポリアクリル酸またはその塩、例えばＢ．Ｆ．ＧｏｏｄｒｉｃｈのＣａｒｂｏｐｏｌ（商品名）、特にＣａｒｂｏｐｏｌ９４１、Ｃａｒｂｏｐｏｌ８０１、Ｃａｒｂｏｐｏｌ９０７、Ｃａｒｂｏｐｏｌ９１０、Ｃａｒｂｏｐｏｌ９３４およびＣａｒｂｏｐｏｌ９４０；
・  エチレンオキシド／プロピレンオキシドブロック共重合体、例えば、ロディアの製品のＡｎｔａｒｏｘ（商品名）、特にＡｎｔａｒｏｘ  Ｆ−８８；
・  バイオポリマー、例えば、グアルガム、アラビアゴム、キサンタンガム、レオザンガム（rheozan gum）、ウェランガム、カラギーナンおよびセルロースまたはグアー由来物（カルボキシメチルセルロース、ヒドロキシエチルセルロース、ヒドロキシプロピル化グアー、カルボキシメチルグアーまたはカルボキシメチルヒドロキシプロピルグアー）。
【００５３】
洗剤組成物の使用目的に応じて、漂白剤、洗浄補助剤（ビルダー）、ハイドロトロープ剤、水和剤、香料、殺生物剤、保存剤および他の一般的な添加物を入れることができる。
【００５４】
便器をメンテナンスするための、ガムタイプの増粘剤（特に０．１％〜３％の濃度で添加されるキサンタンガム）が含まれる組成物について、特に挙げることができるのは：
・  無機酸（燐酸、スルファミン酸、塩酸、フッ化水素酸、硫酸、硝酸またはクロム酸）または有機酸（酢酸、ヒドロキシ酢酸、アジピン酸、クエン酸、蟻酸、フマル酸、グルコン酸、グルタル酸、グリコール酸、リンゴ酸、マレイン酸、乳酸、マロン酸、蓚酸、コハク酸または酒石酸）および酸性塩（ナトリウム硫酸水素塩）等の任意の酸性の洗浄剤；
・  および以下の微量成分の１種以上：製品中の微生物の成長を阻害する保存剤、着色料、香料および／または研磨剤
である。
【００５５】
台所または浴室の表面のメンテナンス用組成物については、特に有機または無機の洗浄補助剤（ビルダー）（炭酸ナトリウム、ゼオライト、ケイ酸ナトリウム、燐鉱石、ポリアクリル酸エステルまたはクエン酸塩）、ｐＨ調整剤、着色料、増白剤、染み取り剤、洗浄用酵素、相溶性漂白剤、ゲル化調整剤、凍結融解安定剤、防虫剤、ハイドロトロープ剤および乳白剤または真珠光沢剤を挙げることができる。
【００５６】
台所用品の手洗い用組成物については、特に挙げることができるのは：
・  合成カチオン性ポリマー、例えば、ロディアが販売するＭｉｒａｐｏｌ（商品名）Ａ５５０、Ｍｉｒａｐｏｌ  Ａ１５およびＣａｌｇｏｎ社が販売するＭｅｒｑｕａｔ（商品名）５５０；
・  ハイドロトロープ剤、例えばＣ2−Ｃ8の短鎖アルコール類、特にエタノール、ジオールおよびグリコール類、例えばジエチレングリコールまたはジプロピレングリコール；
・  皮膚の保湿剤または湿潤剤、例えばグリセロール、尿素または皮膚保護剤、例えばタンパク質、タンパク質加水分解物またはカチオン性高分子、例えば、カチオン性グアー由来物（ロディア社が販売するＪａｇｕａｒ（商品名）Ｃ１３Ｓ、Ｊａｇｕａｒ  Ｃ１６２およびＨｉｃａｒｅ（商品名）１０００）
である。
【００５７】
手洗いまたは半自動機械による洗濯用の組成物については、特に有機または無機の洗浄補助剤（ビルダー）（炭酸ナトリウム、ゼオライト、ケイ酸ナトリウム、燐鉱石、ポリアクリル酸エステルまたはクエン酸塩）、再付着防止剤、染み防止剤、色移り防止剤および非イオン柔軟剤を挙げることができる。
【００５８】
自動車の車体のクリーニング用組成物については、特に有機または無機の洗浄補助剤（ビルダー）、ハイドロトロープ剤、フィラー、ｐＨ調整剤および表面特性を変えるための共重合体を挙げることができる。
【００５９】
本発明は、特に台所用品または繊維製品の手洗い、および便器のクリーニングに最も有利である。
【００６０】
使用時に希釈される用途の洗剤組成物は、使用目的に応じて、その体積の１０〜５００００倍に希釈することができる。希釈の後の界面活性剤濃度は、通常０．０００１％〜１０％、好ましくは０．００１％〜５％、さらに好ましくは０．００５％〜２％である。
【実施例】
【００６１】
以下に実施例を具体的に説明する。
【００６２】
泡の白さの評価方法
（キャリブレーション）
ラウリルエーテル硫酸ナトリウムを０．５ｇ／ｌ含む標準の水溶液を準備する。
【００６３】
この溶液３０ｍｌを１００ｍｌのメスシリンダー（長さ２５０ｍｍ／内径２８ｍｍ）に入れ、シリンダーを塞ぎ、２０回手動で上下をひっくり返す。
【００６４】
黒い背景の正面で、このようにして発生した泡（標準の泡）のデジタル写真を一定の間隔を置いて撮る。次に写真はグレーの２５６のレベル（グレースケール：０〜２５５）に変換される。
【００６５】
それぞれのレベルのグレーに対応するピクセル数が数えられる。０〜２５５の間の平均値のヒストグラムが得られる。
【００６６】
泡がないときを０の値とするために、同一の黒い背景の正面の空のシリンダーから得た平均値を、泡から得た値から差し引く。
【００６７】
新たに発生した標準の泡（経過時間：ゼロ）の値を基準の１００とする。
【００６８】
時間にともなう標準の泡の外観の変化の関数として、０〜１００の間の「白さ」の値が得られる。
【００６９】
（評価）
試験用の洗剤組成物に対応する泡を上記のように発生させ、解析する（シリンダー２０回ひっくり返し、一定の間隔を置いてデジタル写真を撮り、ヒストグラムを作成する）。
【００７０】
試験される泡が標準の泡よりも白い場合、１００以上の値が得られる。
【００７１】
この試験の条件下では、６０未満の「白さ」の値の泡は分解しているとみなされる（泡は徐々に透明になる）。
【００７２】
実施例１：標準の界面活性剤水溶液で発生する標準の泡の白さ
時間の関数に対応した、標準液で発生した標準の泡の白さの変化を以下の表に示す：
【００７３】
【表１】
2008514771.tif 000002
【００７４】
泡の白さは３０−４０分後に低下した。
【００７５】
実施例２：本発明によって発生した泡の白さ
ラウリルエーテル硫酸ナトリウムを０．５ｇ／ｌ含む標準の水溶液を準備する。
【００７６】
ミリスチルアルコール（２０重量％エタノール溶液）の０．０５ｇ／ｌ溶液、これはラウリルエーテル硫酸ナトリウム１００重量部に対しミリスチルアルコール２重量部に対応する、を加える。
【００７７】
この溶液３０ｍｌを１００ｍｌのメスシリンダーに入れ、シリンダーを塞ぎ、２０回手動で上下をひっくり返す。
【００７８】
時間の関数に対応した、発生した泡の白さの変化を以下の表に示す：
【００７９】
【表２】
2008514771.tif 000003
【００８０】
ミリスチルアルコールの存在によって、開始時の白さの値は、わずかに改良され、時間の関数に対応した白さの低下は、著しく少なく、より遅くなった（少なくとも５倍）ことが認められた。
【国際調査報告】
2008514771.tif 000004
2008514771.tif 000005
2008514771.tif 000006
2008514771.tif 000007
2008514771.tif 000008
2008514771.tif 000009